(57)【要約】      （修正有）【課題】狭いスペースでもナットを挿入して締め付けできながら、中心に形成する工具挿入用穴により六角ソケットレンチと梅紋形ソケットレンチを締付工具をとして使用できるナットを提供する。【解決手段】内周面にねじ溝１１が形成された円筒状ナット１の内周面一端部に、ねじ溝１１の外径よりも大きな正六角形状凹所１２ａとその凹所１２ａにおける各角部にその角部よりも外側に膨らむ円弧状凹部１２ｂとが連設されてなる工具挿入用穴１２を形成した。【選択図】図１
0003148481.tif 000002
【実用新案登録請求の範囲】
【請求項１】
内周面にねじ溝１１が形成された円筒状ナット１の内周面一端部に、ねじ溝１１の外径よりも大きな正六角形状凹所１２ａとその凹所１２ａにおける各角部にその角部よりも外側に膨らむ円弧状凹部１２ｂ…とが連設されてなる工具挿入用穴１２を形成したことを特徴とするナット。
【考案の詳細な説明】
【技術分野】
【０００１】  本考案は、主として狭いスペースにおいて嵌め込み状態で用いられるナットに関する。
【背景技術】
【０００２】  一般にナットは外周が正六角形状を呈し、その内周面にねじ溝が形成された構成になっている。そして、使用時には、例えばボルトのねじ部にナットのねじ溝を合わせてねじ込み、その後、スパナ等の締付工具或いは電動締付工具などの筒型ソケットをナットの外周に嵌め込み、その状態でこれらの工具によりナットを締付方向に回転させて締結するようになっている。
【考案の開示】
【考案が解決しようとする課題】
【０００３】  ところで、上記した従来のナットにあっては、狭いスペース内にナットが埋め込み状態となるようにナットをねじ込んで締結する場合、上記スパナや筒型ソケット等の締付工具をナットの外周に嵌め込んで装着することが困難となり、ナット締めができなくなるといった問題があった。【０００４】  なお、この問題に対して例えば筒状のナットの中心部に角形凹所を設ける一方、断面が角形のソケットレンチを用いて、そのソケットレンチの先端をナットの角形凹所に嵌合し、その状態でソケットレンチと共にナットを締付方向に回転させてボルトに締結するようにしたものがある。しかし、ナットの中心部に角形凹所を設けるタイプにあっては、ナットの締結工具がそのナットの角形凹所に符合する１つの角型ソケットレンチに限定されるものであった。【０００５】  そこで、本考案は、狭いスペースでもナットを埋め込み状に挿入して締結できながら、中心に形成する工具挿入用穴により六角ソケットレンチと梅紋形ソケットレンチを締付工具として自由に選択して用いることのできるナットの提供を課題とする。
【課題を解決するための手段】
【０００６】  上記問題を解決するため本考案は、内周面にねじ溝１１が形成された円筒状ナット１の内周面一端部に、ねじ溝１１の外径よりも大きな正六角形状凹所１２ａとその凹所１２ａにおける各角部にその角部よりも外側に膨らむ円弧状凹部１２ｂ…とが連設されてなる工具挿入用穴１２を形成したことを特徴とする。
【考案の効果】
【０００７】  本考案によれば、上記したように円筒状のナット１であるから、狭いスペースであってもそのスペースへのナット１の挿入が可能であれば、中心に形成した工具挿入用穴１２に例えば六角ソケットレンチ７を嵌め込んで該レンチ７を回転操作することにより、ナット１を狭いスペース内に埋め込み状態となるようにねじ込むことができる。しかも、工具挿入用穴１２をねじ溝１１の外径よりも大きな正六角形状凹所１２ａとその凹所１２ａにおける各角部にその角部よりも外側に膨らむ円弧状凹部１２ｂ…とが連設された形状としたので、ナット１の締め付け時には、中心に形成した工具挿入用穴１２に嵌合する六角ソケットレンチ７の他、上記工具挿入用穴１２の形状と同一断面とした梅紋形ソケットレンチ８を締付工具として用いることができる。その結果、複数の締付工具を選択的に用いて幅広く締結することができる。
【考案を実施するための最良の形態】
【０００８】  以下、本考案の実施の形態を図に基づいて説明する。【０００９】  図１及び図２は、本考案に係るナットを示し、このナット１は、円筒状を呈すると共に内周面にねじ溝１１が形成されている。【００１０】  そして、ナット１の内周面一端部に、ねじ溝１１の外径よりも大きな正六角形状凹所１２ａでその凹所１２ａにおける各角部にその角部よりも外側に膨らむ円弧状切欠部１２ｂ…が連設されてなる、換言すれば梅紋形状を呈してなる工具挿入用穴１２が形成されている。【００１１】  図３はナットの使用状態を示す説明図で、符号２は基板、３は取付板、４，５は取付板３に突設された突出部材、６は基板２にねじ部６１が外方に突出するよう設けられた取付ボルトである。また、図２に及び図３において符号７は六角ソケットレンチであり、さらに、図４において符号８は六角ソケットレンチ７に代えて使用する上記工具挿入用穴１２の形状と同一断面とした梅紋形ソケットレンチである。【００１２】  次に、以上のように構成されたナットの作用について説明する。【００１３】  まず、図３に示すように基板２側から外方に突出する取付ボルト６に取付板３をその貫通孔３１を介して装着する。次に、六角ソケットレンチ７の先端部をナット１の工具挿入用穴１２に嵌め込み、その先端部でナット１を保持した状態のまま突出部材４，５間の狭いスペース間よりナット１を取付ボルト６の先端ねじ部に符合するように挿入する。その後、六角ソケットレンチ７を締め付け方向に回転操作して、ナット１を取付ボルト６にねじ込むことにより、基板２に取付板３を締結することができる。【００１４】  このように、狭いスペースであってもナット１が円筒状であるからそのスペースへのナット１の挿入が可能であれば、中心に形成した工具挿入用穴１２に六角ソケットレンチ７を嵌め込んで該レンチ７を回転操作することにより、ナット１を取付ボルト６にねじ込んで突出部材４，５間の狭いスペース間に埋め込み状態となりながら基板２に取付板３を締結することができる。【００１５】  また、ナット１の工具挿入用穴１２は、上記したように平面から見たとき梅紋形状を呈しているので、六角ソケットレンチ７に代えて図４に示す上記工具挿入用穴１２の形状と同一断面とした梅紋形ソケットレンチ８を締付工具として用いることができる。この梅紋形ソケットレンチ８の場合も、図示していないが六角ソケットレンチ７と同様工具挿入用穴１２に梅紋形ソケットレンチ８の先端部を嵌め込み、六角ソケットレンチ７と同様にねじ込むことにより狭いスペースであっても締結できる。これにより、複数の締付工具を自由に用いて幅広く締結することができる。【００１６】  なお、六角ソケットレンチ７及び梅紋形ソケットレンチ８は手動タイプのものであってもよいし、電動ダイプのものであってもよい。
【図面の簡単な説明】
【００１７】
【図１】  本考案に係るナットの平面図である。
【図２】  同ナットと六角ソケットレンチの側面図である。
【図３】  同ナットによる締結状態の説明図である。
【図４】  同ナットと梅紋形ソケットレンチの側面図である。
【符号の説明】
【００１８】  １              ナット
１１            ねじ溝
１２            工具挿入用穴
１２ａ          正六角形状凹所
１２ｂ          円弧状凹部
【図１】
0003148481.tif 000003
【図２】
0003148481.tif 000004
【図３】
0003148481.tif 000005
【図４】
0003148481.tif 000006